【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
記録媒体を個々に識別可能な記録媒体識別情報に対応付けて遊技媒体の貸与に使用される残額を管理する管理装置と、
遊技機に対応して設けられ、前記管理装置と通信可能な複数の遊技用装置と、から構成され、
前記複数の遊技用装置の各々は、前記記録媒体識別情報に対応付けて前記管理装置にて管理されている残額である管理残額の範囲内で遊技媒体を貸与するための第１の貸与処理を行う貸与処理手段と、該第１の貸与処理の対象となった記録媒体の管理残額が零でないことを条件として、該管理残額が零でない旨を示す管理残額有り情報を記録した前記記録媒体を排出する処理を行う記録媒体排出処理手段と、を有し、前記第１の貸与処理を含む各種処理を前記管理装置と連携して行う遊技用システムであって、
前記記録媒体は、前記遊技用装置で行われる前記第１の貸与処理に伴い該遊技用装置により更新される通番が記録され、
前記管理装置は、前記記録媒体識別情報に対応付けて通番を記憶し、
前記遊技用装置は、
前記管理装置と通信できる通信可能状態であるか通信できない通信不可能状態であるかを検知する通信可否検知手段と、
前記第１の貸与処理に伴って前記記録媒体に記録される通番を更新する第１の通番更新処理を行う第１の通番更新手段と、
前記第１の貸与処理に伴って該第１の貸与処理が行われる旨を示す貸与処理情報を前記管理装置に対して送信する貸与処理情報送信手段と、をさらに有し、
前記通信可否検知手段による検知に関わらず、遊技者の排出操作に応じて、前記記録媒体を排出する処理を前記記録媒体排出処理手段により行い、
前記管理装置は、
前記貸与処理情報の受信に応じて前記記録媒体の記録媒体識別情報に対応付けられた通番を更新して記憶する第２の通番更新処理を行う第２の通番更新手段と、
前記貸与処理情報の受信に応じて前記管理残額を減算する管理残額減算手段と、をさらに有し、
前記遊技用装置は、前記通信可否検知手段により通信可能状態を検知しているときに前記記録媒体を受け付けたことに基づいて、該受け付けた記録媒体に記録されている記録媒体識別情報と通番とを前記管理装置に対して送信する記録通番送信手段をさらに有し、
前記管理装置は、前記記録通番送信手段から送信されてきた通番が該記録通番送信手段から送信されてきた記録媒体識別情報に対応付けられた通番と一致するか否かを判定する通番判定手段をさらに有し、
該通番判定手段により通番が一致すると判定したときには、前記管理残額による前記第１の貸与処理を許容する通番一致時処理を行い、前記通番判定手段により通番が一致しないと判定したときには、前記管理残額を減算する減算処理を行うと共に前記通番が一致するように更新した後に当該管理残額による前記第１の貸与処理を許容する通番不一致時処理を行い、
前記遊技用装置は、
前記通信可否検知手段により通信不可能状態を検知しているときに貨幣を受け付けたことに基づいて、該受け付けた貨幣の金額である受付貨幣額の範囲内で遊技媒体を貸与するための第２の貸与処理を前記貸与処理手段により行い、
前記受付貨幣額から該第２の貸与処理に使用された使用額を減算した入金残額が零でないことを条件として、該入金残額を記録した前記記録媒体を排出する処理を前記記録媒体排出処理手段により行い、
前記通信可否検知手段により通信不可能状態を検知しているときに該記録媒体排出処理手段により排出された記録媒体を受け付けたことに基づいて、該受け付けた記録媒体に記録されている入金残額を遊技媒体の貸与に使用可能とするための入金残額使用可能処理を行う入金残額使用可能処理手段と、
前記記録媒体に前記管理残額有り情報が記録されているか否かを判定する管理残額有り情報記録判定手段と、を有し、
該管理残額有り情報記録判定手段により管理残額有り情報が記録されていると判定されたことを条件として、前記入金残額が零の記録媒体を排出する処理を前記記録媒体排出処理手段により行うことを特徴とする遊技用システム。
【請求項２】
請求項１に記載した遊技用システムであって、
前記管理装置は、
各遊技用装置について設定され、前記第１の貸与処理に使用される基準貸与額を、各遊技用装置に対応付けて管理し、
前記記録媒体識別情報に対応付けて、該記録媒体識別情報の記録媒体を少なくとも前回受け付けていた遊技用装置であって、前記通信可能状態で該記録媒体を受け付けた後に前記通信不可能状態になった当該遊技用装置を特定可能な情報を記憶する遊技用装置特定情報記憶手段と、
前記通番判定手段により通番が一致しないと判定されたときに、前記記録媒体の記録媒体識別情報に対応付けて前記遊技用装置特定情報記憶手段で記憶している情報から当該記録媒体識別情報の記録媒体が前回受け付けられていた遊技用装置を特定する遊技用装置特定手段と、をさらに有し、
該遊技用装置特定手段により特定された遊技用装置に対応付けて管理している基準貸与額を前記記録媒体の記録媒体識別情報に対応付けて管理している管理残額から減算する処理を前記減算処理として行うことを特徴とする遊技用システム。
【請求項３】
請求項１又は２に記載した遊技用システムであって、
前記遊技用装置は、前記管理残額が前記第１の貸与処理に使用される基準貸与額未満であるときに、遊技者の操作に応じて、該管理残額のうちの、前記残額を遊技媒体の貸与に使用する際の予め定められた一単位である単位使用額の整数倍に相当する貸与対象額分の遊技媒体を貸与するための前記第１の貸与処理を前記貸与処理手段により行い、該第１の貸与処理に使用される貸与対象額を前記管理残額から減算するための減算要求を前記貸与処理情報として前記貸与処理情報送信手段により前記管理装置に対して送信し、
前記管理装置は、
前記通番判定手段により通番が一致しないと判定されたときに、前記記録媒体の記録媒体識別情報に対応付けて管理している管理残額が前記基準貸与額未満であるか否かを判定する基準貸与額判定手段をさらに有し、
該基準貸与額判定手段により前記管理残額が前記基準貸与額未満であると判定されたときには、前記貸与対象額を前記記録媒体の記録媒体識別情報に対応付けて管理している管理残額から減算する処理を前記減算処理として行うことを特徴とする遊技用システム。
【請求項４】
請求項１〜３のいずれか１つに記載した遊技用システムであって、
前記遊技用装置は、前記記録媒体の通番が上限値に達しているときに、該記録媒体の通番を初期値に更新し、
前記管理装置は、前記管理している通番が上限値に達しているときに、該管理している通番を初期値に更新することを特徴とする遊技用システム。
【請求項５】
請求項１〜４のいずれか１つに記載した遊技用システムであって、
前記記録媒体を受け付けて、該受け付けた記録媒体の記録媒体識別情報に対応付けて前記管理装置にて管理されている残額に相当する貨幣を払い出す精算装置をさらに備え、
該精算装置は、前記記録媒体排出処理手段により排出された記録媒体を受け付けたことに基づいて、該受け付けた記録媒体に記録されている記録媒体識別情報を少なくとも含む精算要求を前記管理装置に対して送信し、
前記管理装置は、該精算要求に含まれる記録媒体識別情報に対応付けて該精算要求を受信した旨を示す精算要求受信情報を管理し、該記録媒体識別情報に対応付けて管理している管理残額を含む精算許諾情報を前記精算装置に対して送信し、
前記精算装置は、該精算許諾情報を受信したことを条件として、該精算許諾情報に含まれる管理残額に相当する貨幣を払い出す精算処理を行い、該精算処理に伴って前記記録媒体に記録されている通番を更新する第３の通番更新処理を行うと共に、該精算処理が行われる旨を示す精算実行通知を前記管理装置に対して送信し、
前記管理装置は、
前記精算実行通知の受信に応じて、前記記録媒体の記録媒体識別情報に対応付けられた通番を更新する第４の通番更新処理を行うと共に、該記録媒体識別情報に対応付けて管理している管理残額を零に更新する管理残額零更新処理と、該記録媒体識別情報に対応付けて管理している精算要求受信情報を消去する精算要求消去処理とを行い、
前記通番判定手段により通番が一致しないと判定され、かつ前記記録媒体の記録媒体識別情報に対応付けて前記精算要求受信情報を管理していることを条件として、前記管理残額零更新処理と前記精算要求消去処理と前記通番が一致するように更新する処理とを行うことを特徴とする遊技用システム。
【請求項６】
請求項１〜５のいずれか１つに記載した遊技用システムであって、
前記遊技用装置は、
前記通信可否検知手段により通信可能状態を検知しているときに受け付けた記録媒体の管理残額が零でないか否かを、少なくとも当該記録媒体の受付中において管理する管理残額有無管理手段をさらに有し、
前記記録媒体の受付後に前記通信可否検知手段により通信不可能状態を検知したときに、前記管理残額有無管理手段で前記記録媒体の管理残額が零でない旨を管理していることを条件として、前記管理残額有り情報を記録した前記記録媒体を排出する処理を前記記録媒体排出処理手段により行うことを特徴とする遊技用システム。
【請求項７】
請求項１〜６のいずれか１つに記載した遊技用システムであって、
前記通信可否検知手段により通信不可能状態を検知しているときに貨幣を受け付けたことに基づいて、前記受付貨幣額から、前記残額を遊技媒体の貸与に使用する際の予め定められた一単位である単位使用額と該単位使用額に対応する間接税額との合算額である税込単位額の整数倍に相当する税込貸与対象額と、該税込単位額未満の端数額とを特定する特定手段をさらに有し、
該特定手段により税込貸与対象額が特定されたことに基づいて、遊技者の操作によることなく、該特定された税込貸与対象額分の遊技媒体を貸与するための処理を前記第２の貸与処理として前記貸与処理手段により行い、
前記特定手段により特定された端数額を前記入金残額として記録した前記記録媒体を排出する処理を前記記録媒体排出処理手段により行うことを特徴とする遊技用システム。
【請求項８】
請求項７に記載した遊技用システムであって、
前記遊技用装置は、前記通信可否検知手段により通信不可能状態を検知しているときに前記端数額が記録された記録媒体を受け付け、さらに貨幣を受け付けたことに基づいて、該受け付けた記録媒体に記録されている端数額と今回の受付貨幣額との合算額から、前記税込貸与対象額を特定すると共に、前記端数額を新たに特定する処理を前記特定手段により行うことを特徴とする遊技用システム。
【請求項９】
請求項７又は８に記載した遊技用システムであって、
前記遊技用装置は、
前記通信可否検知手段により通信不可能状態を検知しているときに貨幣を受け付けたことに基づいて、前回の貨幣受付に基づいて特定した端数額又は前記受け付けた記録媒体に記録されている端数額と今回の受付貨幣額との合算額が前記税込単位額以上であるか否かを判定する合算額判定手段をさらに有し、
該合算額判定手段により税込単位額以上であると判定されたことを条件として、前記受け付けた貨幣を回収し、前記特定手段による特定を行う一方、前記合算額判定手段により税込単位額未満であると判定されたことを条件として、前記受け付けた貨幣を返却し、前記特定手段による特定を行わないことを特徴とする遊技用システム。
【請求項１０】
請求項７〜９のいずれか１つに記載した遊技用システムであって、
前記記録媒体を受け付けて、該受け付けた記録媒体に記録されている端数額に相当する貨幣を払い出す精算装置と、
該精算装置で受け付けた記録媒体に記録されている端数額が予め定められた所定の金額未満であるか否かを判定する端数額判定手段と、をさらに備え、
前記精算装置は、該端数額判定手段により端数額が所定の金額未満であると判定されたことを条件として、該端数額に相当する貨幣を払い出すことを特徴とする遊技用システム。
【請求項１１】
請求項７〜１０のいずれか１つに記載した遊技用システムであって、
前記記録媒体を受け付けて、該受け付けた記録媒体に記録されている端数額に相当する貨幣を払い出す精算装置をさらに備え、
前記管理装置は、
前記精算装置での精算が可能な精算可能期間を設定する精算可能期間設定手段と、
前記精算可能期間内に前記通信不可能状態が発生したか否かを判定する通信不可能状態発生判定手段と、をさらに有し、
前記精算装置は、前記通信不可能状態発生判定手段により通信不可能状態が発生したと判定されたことを条件として、前記端数額に相当する貨幣を払い出すことを特徴とする遊技用システム。
【手続補正２】
【補正対象書類名】明細書
【補正対象項目名】０００９
【補正方法】変更
【補正の内容】
【０００９】
まず請求項１に係る発明は、記録媒体（会員カード４，ビジタコイン５）を個々に識別可能な記録媒体識別情報（記録媒体ＩＤ）に対応付けて遊技媒体（パチンコ玉）の貸与に使用される残額を（ハードディスク５５の残額管理ＤＢにて）管理する管理装置（５０）と、遊技機（パチンコ機１０）に対応して設けられ、前記管理装置と通信可能な複数の遊技用装置（玉貸ユニット２０）と、から構成され、前記複数の遊技用装置の各々は、前記記録媒体識別情報に対応付けて前記管理装置にて管理されている残額である管理残額の範囲内で遊技媒体を貸与するための第１の貸与処理を行う貸与処理手段（制御部２１）と、該第１の貸与処理の対象となった記録媒体の管理残額が零でないことを条件として、該管理残額が零でない旨を示す管理残額有り情報（オンライン残額有りフラグ）を記録した前記記録媒体（ビジタコイン５）を排出する処理を行う記録媒体排出処理手段（制御部２１）と、を有し、前記第１の貸与処理を含む各種処理を前記管理装置と連携して行う遊技用システム（１）であって、前記記録媒体は、前記遊技用装置で行われる前記第１の貸与処理に伴い該遊技用装置により更新される通番が記録され、前記管理装置は、前記記録媒体識別情報に対応付けて通番を記憶し、前記遊技用装置は、前記管理装置と通信できる通信可能状態（オンライン状態）であるか通信できない通信不可能状態（オフライン状態）であるかを検知する通信可否検知手段（制御部２１）と、前記第１の貸与処理に伴って前記記録媒体に記録される通番を更新する第１の通番更新処理を行う第１の通番更新手段（制御部２１）と、前記第１の貸与処理に伴って該第１の貸与処理が行われる旨を示す貸与処理情報（減算要求）を前記管理装置に対して送信する貸与処理情報送信手段（外部通信部２１ｂ）と、をさらに有し、前記通信可否検知手段による検知に関わらず、遊技者の排出操作（返却ボタン１６の操作）に応じて、前記記録媒体を排出する処理を前記記録媒体排出処理手段により行い、前記管理装置は、前記貸与処理情報の受信に応じて前記記録媒体の記録媒体識別情報に対応付けられた通番を更新して記憶する第２の通番更新処理を行う第２の通番更新手段（制御部５２）と、前記貸与処理情報の受信に応じて前記管理残額を減算する管理残額減算手段（制御部５２）と、をさらに有し、前記遊技用装置は、前記通信可否検知手段により通信可能状態を検知しているときに前記記録媒体を受け付けたことに基づいて、該受け付けた記録媒体に記録されている記録媒体識別情報と通番とを前記管理装置に対して送信する記録通番送信手段（外部通信部２１ｂ）をさらに有し、前記管理装置は、前記記録通番送信手段から送信されてきた通番が該記録通番送信手段から送信されてきた記録媒体識別情報に対応付けられた通番と一致するか否かを判定する通番判定手段（制御部５２）をさらに有し、該通番判定手段により通番が一致すると判定したときには、前記管理残額による前記第１の貸与処理を許容する通番一致時処理を行い、前記通番判定手段により通番が一致しないと判定したときには、前記管理残額を減算する減算処理を行うと共に前記通番が一致するように更新した後に当該管理残額による前記第１の貸与処理を許容する通番不一致時処理を行い、前記遊技用装置は、前記通信可否検知手段により通信不可能状態を検知しているときに貨幣（紙幣２，硬貨３）を受け付けたことに基づいて、該受け付けた貨幣の金額である受付貨幣額の範囲内で遊技媒体を貸与するための第２の貸与処理を前記貸与処理手段により行い、前記受付貨幣額から該第２の貸与処理に使用された使用額を減算した入金残額が零でないことを条件として、該入金残額を（オフライン端数額として）記録した前記記録媒体を排出する処理を前記記録媒体排出処理手段により行い、前記通信可否検知手段により通信不可能状態を検知しているときに該記録媒体排出処理手段により排出された記録媒体を受け付けたことに基づいて、該受け付けた記録媒体に記録されている入金残額を遊技媒体の貸与に使用可能とするための入金残額使用可能処理を行う入金残額使用可能処理手段（制御部２１）と、前記記録媒体に前記管理残額有り情報が記録されているか否かを判定する管理残額有り情報記録判定手段（制御部２１）と、を有し、該管理残額有り情報記録判定手段により管理残額有り情報が記録されていると判定されたことを条件として、前記入金残額が零の記録媒体を排出する処理を前記記録媒体排出処理手段により行うことを特徴とする遊技用システムである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
また請求項２に係る発明は、請求項１に記載した遊技用システム（１）であって、前記管理装置（５０）は、各遊技用装置（玉貸ユニット２０）について設定され、前記第１の貸与処理に使用される基準貸与額を各遊技用装置に対応付けて（ハードディスク５５の玉貸設定金額ＤＢにて）管理し、前記記録媒体識別情報（記録媒体ＩＤ）に対応付けて、該記録媒体識別情報の記録媒体（会員カード４，ビジタコイン５）を少なくとも前回受け付けていた遊技用装置であって、前記通信可能状態（オンライン状態）で該記録媒体を受け付けた後に前記通信不可能状態（オフライン状態）になった当該遊技用装置を特定可能な情報（装置ＩＤ）を記憶する遊技用装置特定情報記憶手段（ハードディスク５５の残額管理ＤＢ）と、前記通番判定手段（制御部５２）により通番が一致しないと判定されたときに、前記記録媒体の記録媒体識別情報に対応付けて前記遊技用装置特定情報記憶手段で記憶している情報から当該記録媒体識別情報の記録媒体が前回受け付けられていた遊技用装置を特定する遊技用装置特定手段（制御部５２）と、をさらに有し、該遊技用装置特定手段により特定された遊技用装置に対応付けて管理している基準貸与額を前記記録媒体の記録媒体識別情報に対応付けて管理している管理残額から減算する処理を前記減算処理として行うことを特徴とする遊技用システムである。
【手続補正５】
【補正対象書類名】明細書
【補正対象項目名】００１２
【補正方法】変更
【補正の内容】
【００１２】
また請求項３に係る発明は、請求項１又は２に記載した遊技用システム（１）であって、前記遊技用装置（玉貸ユニット２０）は、前記管理残額、前記第１の貸与処理に使用される基準貸与額未満であるときに、遊技者の操作（玉貸ボタン１５の操作）に応じて、該管理残額のうちの、前記残額を遊技媒体の貸与に使用する際の予め定められた一単位である単位使用額の整数倍に相当する貸与対象額分の遊技媒体を貸与するための前記第１の貸与処理を前記特定処理として前記貸与処理手段（制御部２１）により行い、該第１の貸与処理に使用される貸与対象額を前記管理残額から減算するための減算要求を前記貸与処理情報として前記貸与処理情報送信手段（外部通信部２１ｂ）により前記管理装置（５０）に対して送信し、前記管理装置は、前記通番判定手段（制御部５２）により通番が一致しないと判定されたときに、前記記録媒体（会員カード４，ビジタコイン５）の記録媒体識別情報（記録媒体ＩＤ）に対応付けて管理している管理残額が前記基準貸与額未満であるか否かを判定する基準貸与額判定手段（制御部５２）をさらに有し、該基準貸与額判定手段により前記管理残額が前記基準貸与額未満であると判定されたときには、前記貸与対象額を前記記録媒体の記録媒体識別情報に対応付けて管理している管理残額から減算する処理を前記減算処理として行うことを特徴とする遊技用システムである。
【手続補正６】
【補正対象書類名】明細書
【補正対象項目名】００１３
【補正方法】変更
【補正の内容】
【００１３】
また請求項４に係る発明は、請求項１〜３のいずれか１つに記載した遊技用システム（１）であって、前記遊技用装置（玉貸ユニット２０）は、前記記録媒体（会員カード４，ビジタコイン５）の通番が上限値に達しているときに、該記録媒体の通番を初期値に更新し、前記管理装置（５０）は、前記管理している通番が上限値に達しているときに、該管理している通番を初期値に更新することを特徴とする遊技用システムである。
【手続補正７】
【補正対象書類名】明細書
【補正対象項目名】００１４
【補正方法】変更
【補正の内容】
【００１４】
また請求項５に係る発明は、請求項１〜４のいずれか１つに記載した遊技用システム（１）であって、前記記録媒体（会員カード４，ビジタコイン５）を受け付けて、該受け付けた記録媒体の記録媒体識別情報（記録媒体ＩＤ）に対応付けて前記管理装置（５０）にて管理されている残額に相当する貨幣（紙幣２，硬貨３）を払い出す精算装置（６０）をさらに備え、該精算装置は、前記記録媒体排出処理手段（制御部２１）により排出された記録媒体を受け付けたことに基づいて、該受け付けた記録媒体に記録されている記録媒体識別情報を少なくとも含む精算要求を前記管理装置に対して送信し、前記管理装置は、該精算要求に含まれる記録媒体識別情報に対応付けて該精算要求を受信した旨を示す精算要求受信情報を管理（挿入処理済のステータス及び精算装置の装置ＩＤをハードディスク５５の残額管理ＤＢにて管理）し、該記録媒体識別情報に対応付けて管理している管理残額を含む精算許諾情報を前記精算装置に対して送信し、前記精算装置は、該精算許諾情報を受信したことを条件として、該精算許諾情報に含まれる管理残額に相当する貨幣を払い出す精算処理を行い、該精算処理に伴って前記記録媒体に記録されている通番を更新する第３の通番更新処理を行うと共に、該精算処理が行われる旨を示す精算実行通知（精算完了通知）を前記管理装置に対して送信し、前記管理装置は、前記精算実行通知の受信に応じて、前記記録媒体の記録媒体識別情報に対応付けられた通番を更新する第４の通番更新処理を行うと共に、該記録媒体識別情報に対応付けて管理している管理残額を零に更新する管理残額零更新処理と、該記録媒体識別情報に対応付けて管理している精算要求受信情報を消去する精算要求消去処理（ステータスを精算処理済に更新する処理）とを行い、前記通番判定手段（制御部５２）により通番が一致しないと判定され、かつ前記記録媒体の記録媒体識別情報に対応付けて前記精算要求受信情報を管理していることを条件として、前記管理残額零更新処理と前記精算要求消去処理と前記通番が一致するように更新する処理とを行うことを特徴とする遊技用システムである。
【手続補正８】
【補正対象書類名】明細書
【補正対象項目名】００１５
【補正方法】変更
【補正の内容】
【００１５】
また請求項６に係る発明は、請求項１〜５のいずれか１つに記載した遊技用システム（１）であって、前記遊技用装置（玉貸ユニット２０）は、前記通信可否検知手段（制御部２１）により通信可能状態（オンライン状態）を検知しているときに受け付けた記録媒体（会員カード４，ビジタコイン５）の管理残額が零でないか否かを、少なくとも当該記録媒体の受付中において管理する管理残額有無管理手段（制御部２１のＲＡＭ）をさらに有し、前記記録媒体の受付後に前記通信可否検知手段により通信不可能状態（オフライン状態）を検知したときに、前記管理残額有無管理手段で前記記録媒体の管理残額が零でない旨を管理していることを条件として、前記管理残額有り情報（オンライン残額有りフラグ）を記録した前記記録媒体（ビジタコイン５）を排出する処理を前記記録媒体排出処理手段（制御部２１）により行うことを特徴とする遊技用システムである。
【手続補正９】
【補正対象書類名】明細書
【補正対象項目名】００１６
【補正方法】変更
【補正の内容】
【００１６】
また請求項７に係る発明は、請求項１〜６のいずれか１つに記載した遊技用システム（１）であって、前記遊技用装置（玉貸ユニット２０）は、前記通信可否検知手段（制御部２１）により通信不可能状態（オフライン状態）を検知しているときに貨幣（紙幣２，硬貨３）を受け付けたことに基づいて、前記受付貨幣額から、前記残額を遊技媒体の貸与に使用する際の予め定められた一単位である単位使用額と該単位使用額に対応する間接税額（消費税額）との合算額である税込単位額の整数倍に相当する税込貸与対象額と、該税込単位額未満の端数額とを特定する特定手段（制御部２１）をさらに有し、該特定手段により税込貸与対象額が特定されたことに基づいて、遊技者の操作によることなく、該特定された税込貸与対象額分の遊技媒体を貸与するための処理（オフライン一発貸し）を前記第２の貸与処理として前記貸与処理手段により行い、前記特定手段により特定された端数額を前記入金残額（オフライン端数額）として記録した前記記録媒体（会員カード４，ビジタコイン５）を排出する処理を前記記録媒体排出処理手段（制御部２１）により行うことを特徴とする遊技用システムである。
【手続補正１０】
【補正対象書類名】明細書
【補正対象項目名】００１７
【補正方法】変更
【補正の内容】
【００１７】
また請求項８に係る発明は、請求項７に記載した遊技用システム（１）であって、前記遊技用装置（玉貸ユニット２０）は、前記通信可否検知手段（制御部２１）により通信不可能状態（オフライン状態）を検知しているときに前記端数額が記録された記録媒体（会員カード４，ビジタコイン５）を受け付け、さらに貨幣（紙幣２，硬貨３）を受け付けたことに基づいて、該受け付けた記録媒体に記録されている端数額（オフライン端数額）と今回の受付貨幣額との合算額から、前記税込貸与対象額を特定すると共に、前記端数額を新たに特定する処理を前記特定手段（制御部２１）により行うことを特徴とする遊技用システムである。
【手続補正１１】
【補正対象書類名】明細書
【補正対象項目名】００１８
【補正方法】変更
【補正の内容】
【００１８】
また請求項９に係る発明は、請求項７又は８に記載した遊技用システム（１）であって、前記遊技用装置（玉貸ユニット２０）は、前記通信可否検知手段（制御部２１）により通信不可能状態（オフライン状態）を検知しているときに貨幣（紙幣２，硬貨３）を受け付けたことに基づいて、前回の貨幣受付に基づいて特定した端数額又は前記受け付けた記録媒体（会員カード４，ビジタコイン５）に記録されている端数額（オフライン端数額）と今回の受付貨幣額との合算額が前記税込単位額以上であるか否かを判定する合算額判定手段（制御部２１）をさらに有し、該合算額判定手段により税込単位額以上であると判定されたことを条件として、前記受け付けた貨幣を回収し、前記特定手段（制御部２１）による特定を行う一方、前記合算額判定手段により税込単位額未満であると判定されたことを条件として、前記受け付けた貨幣を返却し、前記特定手段による特定を行わないことを特徴とする遊技用システムである。
【手続補正１２】
【補正対象書類名】明細書
【補正対象項目名】００１９
【補正方法】変更
【補正の内容】
【００１９】
また請求項１０に係る発明は、請求項７〜９のいずれか１つに記載した遊技用システム（１）であって、前記記録媒体（会員カード４，ビジタコイン５）を受け付けて、該受け付けた記録媒体に記録されている端数額（オフライン端数額）に相当する貨幣（紙幣２，硬貨３）を払い出す精算装置（６０）と、該精算装置で受け付けた記録媒体に記録されている端数額が予め定められた所定の金額未満であるか否かを判定する端数額判定手段（精算装置６０の制御部６２）と、をさらに備え、前記精算装置は、該端数額判定手段により端数額が所定の金額未満であると判定されたことを条件として、該端数額に相当する貨幣を払い出すことを特徴とする遊技用システムである。
【手続補正１３】
【補正対象書類名】明細書
【補正対象項目名】００２０
【補正方法】変更
【補正の内容】
【００２０】
さらに請求項１１に係る発明は、請求項７〜１０のいずれか１つに記載した遊技用システム（１）であって、前記記録媒体（会員カード４，ビジタコイン５）を受け付けて、該受け付けた記録媒体に記録されている端数額（オフライン端数額）に相当する貨幣（紙幣２，硬貨３）を払い出す精算装置（６０）をさらに備え、前記管理装置（５０）は、前記精算装置での精算が可能な精算可能期間（有効期間）を設定する精算可能期間設定手段（ディスプレイ５３及び入力装置５４）と、前記精算可能期間内に前記通信不可能状態（オフライン状態）が発生したか否かを判定する通信不可能状態発生判定手段（制御部５２）と、をさらに有し、前記精算装置は、前記通信不可能状態発生判定手段により通信不可能状態が発生したと判定されたことを条件として、前記端数額に相当する貨幣を払い出すことを特徴とする遊技用システムである。
【手続補正１４】
【補正対象書類名】明細書
【補正対象項目名】００２２
【補正方法】変更
【補正の内容】
【００２２】
まず請求項１に係る遊技用システムによれば、通信不可能状態にある遊技用装置で、入金残額が記録された記録媒体が受け付けられ、該入金残額を使用した遊技媒体の貸与が行われた結果として当該入金残額が零になった場合において、管理残額が零でない旨を示す管理残額有り情報が該記録媒体に記録されていることを条件として、当該記録媒体が排出されるので、管理残額が有る記録媒体を遊技者に確実に返却できる一方で、管理残額が無く本来返却する必要のない記録媒体の無駄な返却を防止できる。また遊技用装置での第１の貸与処理に伴って更新される通番が記録媒体に記録されることにより、オフライン状態が発生した遊技用装置から排出された記録媒体を他のオンライン状態の遊技用装置に挿入することで、該記録媒体に記録されている通番と管理装置において該記録媒体の記録媒体識別情報に対応付けて記憶している通番とが一致しないときには、遊技用装置で第１の貸与処理が行われたにもかかわらずオフライン状態の発生により管理装置で管理残額の減算が行われていない事を特定して、該減算が行われるので、オフライン状態の発生した遊技用装置がオンライン状態に復帰するのを待つことなく、管理残額を他の遊技用装置において使用することが可能となり、遊技者に迷惑がかかることがなく、また遊技場が損をすることもない。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
また請求項２に係る遊技用システムによれば、各遊技用装置について第１の貸与処理に使用される基準貸与額が設定される場合にも、管理装置において、記録媒体が前回受け付けられていた遊技用装置が特定され、対応する基準貸与額が管理残額から減算されるので、正確な残額を確定することができる。
【手続補正１７】
【補正対象書類名】明細書
【補正対象項目名】００２５
【補正方法】変更
【補正の内容】
【００２５】
また請求項３に係る遊技用システムによれば、管理残額が第１の貸与処理に使用される基準貸与額未満である場合にも、管理装置において、単位使用額の整数倍に相当する貸与対象額が管理残額から減算されるので、正確な残額を確定することができる。
【手続補正１８】
【補正対象書類名】明細書
【補正対象項目名】００２６
【補正方法】変更
【補正の内容】
【００２６】
また請求項４に係る遊技用システムによれば、遊技用装置は記録媒体の通番が上限値に達しているときに初期値に更新し、管理装置は管理している通番が上限値に達しているときに初期値に更新するので、通番を記憶する領域を極力少なくすると共に、通番が上限値に達した後でも継続して記録媒体を使用することができ、記録媒体のコストを低減させることができる。
【手続補正１９】
【補正対象書類名】明細書
【補正対象項目名】００２７
【補正方法】変更
【補正の内容】
【００２７】
また請求項５に係る遊技用システムによれば、管理装置において、通番が一致しないと判定され、かつ精算要求受信情報が管理されていることを条件として、管理残額零更新処理と精算要求消去処理とが行われるので、精算装置が精算許諾情報を受信してから管理装置が精算実行通知を受信する前にオフライン状態となった場合、即ち遊技者に貨幣が払い出されているにも拘わらず管理残額が零に更新されていない状況となっても、その後、記録媒体の通番の受信によって管理残額を零に更新することができ、遊技場の損害を防止することができる。
【手続補正２０】
【補正対象書類名】明細書
【補正対象項目名】００２８
【補正方法】変更
【補正の内容】
【００２８】
また請求項６に係る遊技用システムによれば、記録媒体の受付後に通信不可能状態が発生した場合であっても、該記録媒体の管理残額が零でない旨が管理されていることを条件として、当該記録媒体が排出されるので、管理残額が有る記録媒体を遊技者に確実に返却できる。
【手続補正２１】
【補正対象書類名】明細書
【補正対象項目名】００２９
【補正方法】変更
【補正の内容】
【００２９】
また請求項７に係る遊技用システムによれば、いわゆる完全ＩＤ管理のシステムにおいて、貸与処理に使用された使用額に対応する間接税額を徴収し、かつ管理装置と通信できない通信不可能状態で遊技用装置が貨幣を受け付けたときにいわゆる一発貸しを行うようにしても、該一発貸しによって発生する端数額が記録媒体に記録されて排出されることにより、該端数額を処理するための釣銭払出機能や追加入金機能を遊技用装置に設ける必要がないので、遊技用装置のコストが上昇することがない。
【手続補正２２】
【補正対象書類名】明細書
【補正対象項目名】００３０
【補正方法】変更
【補正の内容】
【００３０】
また請求項８に係る遊技用システムによれば、通信不可能状態にある遊技用装置において、通信不可能状態にあった他の遊技用装置で発生した端数額が記録された記録媒体が受け付けられ、さらに貨幣が受け付けられると、該端数額と受付貨幣額との合算額から税込貸与対象額と端数額が特定されることにより、通信不可能状態にあった他の遊技用装置で発生した端数額を遊技に使用できるようになるので、端数額が記録された記録媒体を複数扱う必要がなくなって、遊技者の利便性が向上する。
【手続補正２３】
【補正対象書類名】明細書
【補正対象項目名】００３１
【補正方法】変更
【補正の内容】
【００３１】
また請求項９に係る遊技用システムによれば、通信不可能状態にある遊技用装置において、貨幣が受け付けられると、一発貸しによって発生する端数額と受付貨幣額との合算額が税込単位額以上であることを条件として、受け付けた貨幣が回収されて貸与対象額分の貸与処理が行われることにより、税込単位額未満の低額貨幣も使用可能となるので、遊技者の利便性が向上する。
【手続補正２４】
【補正対象書類名】明細書
【補正対象項目名】００３２
【補正方法】変更
【補正の内容】
【００３２】
また請求項１０に係る遊技用システムによれば、記録媒体に記録されている端数額が予め定められた所定の金額未満であることを条件として端数額の精算が行われることにより、記録情報が改ざんされた記録媒体により不正に精算が行われたとしても前記所定の金額未満の貨幣しか払い出されないので、不正による被害を最小限に抑えることができる。
【手続補正２５】
【補正対象書類名】明細書
【補正対象項目名】００３３
【補正方法】変更
【補正の内容】
【００３３】
さらに請求項１１に係る遊技用システムによれば、精算可能期間内に通信不可能状態が発生したと判定されたことを条件として端数額の精算が行われることにより、精算可能期間内に通信不可能状態が発生しておらず記録媒体に端数額が記録されることがない状況においては端数額の精算が行われないので、セキュリティが向上する。